(57)【要約】【課題】  スイッチを操作するだけで、計数器の表示を目で見て電気機器への通電回数が何回に達しているかを正確に知る。【解決手段】  電気機器Ｂ側の電源コード１００の差込みプラグ１１０を差し込むソケット１１と、このソケット１１に差し込まれた差込みプラグ１１０に対する通電モードと通電遮断モードとを選択するスイッチ２１と、このスイッチ２１によって通電モードを選択した回数を電源機器Ｂに対する電源投入回数として計数して表示する計数表示器５１と、ソケット１１とスイッチ２１とを直列に接続した電気コード４０とを備え、電気コード４０に商用電源としてのコンセントに差し込む電源プラグＰを設ける。ソケット１１、スイッチ２１及び計数表示器５１を共通の筐体７０に収容する。【選択図】        図２
2008210604.tif 000002
【特許請求の範囲】
【請求項１】
電気機器から引き出された電源コードに備わっている差込みプラグの相手方コネクタとしてのソケットと、このソケットに差し込まれた上記差込みプラグに対する通電モードと通電遮断モードとを選択するスイッチと、このスイッチによって通電モードを選択した回数を上記電源機器に対する電源投入回数として計数して表示する計数表示器と、上記ソケット及び上記スイッチを含んで商用電源に接続される給電回路と、を備えていると共に、上記給電回路が、上記ソケットの電極と上記スイッチとを直列に接続した電気コードに商用電源としてのコンセントに差し込まれる電源プラグを具備していて、上記のソケット、スイッチ及び計数表示器が共通の筐体に収容されていて、その筐体から上記電気コードが引き出されていることを特徴とする電気機器の電源投入試験装置。
【請求項２】
電気機器から引き出された電源コードに備わっている差込みプラグの相手方コネクタとしてのソケットと、このソケットに差し込まれた上記差込みプラグに対する通電モードと通電遮断モードとを選択するスイッチと、このスイッチによって通電モードを選択した回数を上記電源機器に対する電源投入回数として計数して表示する計数表示器と、上記ソケット及び上記スイッチを含んで商用電源に接続される給電回路と、を備えることを特徴とする電気機器の電源投入試験装置。
【請求項３】
上記給電回路が、上記ソケットの電極と上記スイッチとを直列に接続した電気コードに商用電源としてのコンセントに差し込まれる電源プラグを具備させてある請求項１に記載した電気機器の電源投入試験装置。
【請求項４】
請求項１に記載した電気機器の電源投入試験装置を用いる電気機器の電源投入試験方法であって、
上記電源プラグを商用電源としてのコンセントに差し込み、上記差込みプラグを上記ソケットに差し込んでから、上記スイッチの通電モードと通電遮断モードとを繰り返し切り換える操作を行い、その操作を介して計数表示器に表示される通電モードの選択回数を電源機器に対する電源投入回数とする電気機器の電源投入試験方法。
【発明の詳細な説明】
【技術分野】
【０００１】
本発明は、電気機器の電源投入試験装置及び同電源投入試験方法に関する。
【背景技術】
【０００２】
ＤＶＤレコーダや同プレーヤ、テレビジョン受像機その他の電気機器に対しては必要に応じて電源投入試験が行われる。この電源投入試験は、ユーザが電気機器に電源を投入したときに起こり得る不都合を組立工程などであらかじめ発見することをなどを目的として行われ、この電源投入試験を行うことによって電源投入時に不都合を起こさない電気機器をユーザに提供することが可能になる。
【０００３】
従来の電源投入試験では、電気機器に装備されている電源投入スイッチを通電モードに保持させたまま、オペレータが片手で電気機器の電源コードに備わっている差込みプラグを商用電源としてのコンセントに差し込んだり引き抜いたりする操作を繰り返すことによって電気機器に繰り返し通電を行いながら、同じオペレータが他の片手に持った計数器のカウントボタンを押し込むという操作を行って電気機器に通電した回数を計測していた。また、計数器を用いずに、オペレータが回数を数えながら行うこともあった。
【０００４】
一方、電力を有償で供給するためのシステムが提案されている（たとえば、特許文献１参照）。このシステムは、ユーザが家庭やオフィスから外に出て携帯型のパソコンを使用したい場合などに、パソコンの電源コードを公共の場所に設置してあるコンセントに接続して有償で電力を利用するというものであって、パソコンの電源コードの差込みプラグにＩＣタグを装備させておいて、その差込みプラグをコンセントに接続したときにＩＣタグに記録されている使用者識別情報（使用者ＩＤ）がコンセント側に装備されている検知センサーを介して読み取られるようになっている。
【０００５】
また、電気機器に装備されているコネクタの抜差し回数を計測することによってそのコネクタの寿命管理を行うシステムも提案されている（たとえば、特許文献２参照）。このものでは、電気機器に備わっているソケットコネクタにその電気機器を利用して使用するデバイスのプラグを差し込んだことを機械的に検出してその差込み回数を計数することができるようになっている。
【特許文献１】特開２００６−２４４８１８号公報
【特許文献２】特開２００３−２５７５６１号公報
【発明の開示】
【発明が解決しようとする課題】
【０００６】
しかしながら、上記した従来の電源投入試験で行われているように、同じオペレータが片手で電気機器の差込みプラグをコンセントに差し込んだり引き抜いたりする操作を行いながら、他の片手で計数器のカウントボタンを押し込むという操作を行うと、それが人手による操作であるために、実際に行われた通電の回数と計数器に表示される回数とが一致しないということが多々生じていた。また、電源投入試験は、電気機器への通電を数百回にも亘って繰り返し行う試験であるので、途中で差込みプラグをコンセントに何回差し込んだかをオペレータが数えきれなくなる場合もあった。
【０００７】
一方、上掲の特許文献１によって開示されているものは電力を有償で供給するためのシステムであり、特許文献２によって開示されているものは、電気機器に装備されているコネクタの抜差し回数を計測してその寿命管理を行うことに適したものであるので、それらの構成は、上記したような電気機器自体に対する電源投入試験に利用し得るようなものではない。
【０００８】
本発明は以上の状況の下でなされたものであり、電気機器の電源投入試験において、オペレータ自身が電気機器側の差込みプラグをコンセントに差し込む回数を数える必要がなく、また、実際に行われた通電の回数と計数器に表示される回数とが一致しないという事態の起こるおそれがなくなって、実際に行われた通電の回数を正確に計数することのできる電気機器の電源投入試験装置及び同電源投入試験方法を提供することを目的としている。
【課題を解決するための手段】
【０００９】
本発明に係る電気機器の電源投入試験装置は、電気機器から引き出された電源コードに備わっている差込みプラグの相手方コネクタとしてのソケットと、このソケットに差し込まれた上記差込みプラグに対する通電モードと通電遮断モードとを選択するスイッチと、このスイッチによって通電モードを選択した回数を上記電源機器に対する電源投入回数として計数して表示する計数表示器と、上記ソケット及び上記スイッチを含んで商用電源に接続される給電回路と、を備えている。この構成において、上記給電回路に、上記ソケットの電極と上記スイッチとを直列に接続した電気コードに商用電源としてのコンセントに差し込まれる電源プラグを具備させてある、という構成を備えたものであってもよい。
【００１０】
また、本発明に係る電気機器の電源投入試験装置は、電気機器から引き出された電源コードに備わっている差込みプラグの相手方コネクタとしてのソケットと、このソケットに差し込まれた上記差込みプラグに対する通電モードと通電遮断モードとを選択するスイッチと、このスイッチによって通電モードを選択した回数を上記電源機器に対する電源投入回数として計数して表示する計数表示器と、上記ソケット及び上記スイッチを含んで商用電源に接続される給電回路と、を備えていると共に、上記給電回路が、上記ソケットの電極と上記スイッチとを直列に接続した電気コードに商用電源としてのコンセントに差し込まれる電源プラグを具備していて、上記のソケット、スイッチ及び計数表示器が共通の筐体に収容されていて、その筐体から上記電気コードが引き出されている、という構成を採用することによっていっそう具体化される。
【００１１】
一方、本発明に係る電気機器の電源投入試験方法は、上記した電気機器の電源投入試験装置を用いる電気機器の電源投入試験方法であって、上記電源プラグを商用電源としてのコンセントに差し込み、上記差込みプラグを上記ソケットに差し込んでから、上記スイッチの通電モードと通電遮断モードとを繰り返し切り換える操作を行い、その操作を介して計数表示器に表示される通電モードの選択回数を電源機器に対する電源投入回数とする、というものである。
【００１２】
上記した構成を備えた電気機器の電源投入試験装置及び同電源投入試験方法によれば、電源プラグを商用電源としてのコンセントに差し込んで給電回路を商用電源に接続することと併せて、電気機器側の差込みプラグをその相手方コネクタとしてのソケットに差し込み、その状態でオペレータがスイッチを操作して通電モードと通電遮断モードとを繰り返し選択すると、通電モードが選択されたときに電気機器に対する通電が行われ、通電遮断モードが選択されたときに電気機器に対する通電が遮断され、計数表示器には、通電モードの選択回数が電源機器に対する電源投入回数として表示される。したがって、オペレータは、片手で差込みプラグをコンセントに抜き差ししたりその抜き差し回数を数えたり、計数器のカウントボタンを片手で押し込んだりすることなく、スイッチを操作するだけで、計数器の表示を目で見て電気機器への通電回数が何回に達しているかを正確に知ることができるようになる。
【発明の効果】
【００１３】
以上のように、本発明に係る電気機器の電源投入試験装置及び同電源投入試験方法によれば、オペレータにとっては、スイッチを操作するだけで、計数器の表示を目で見て電気機器への通電回数が何回に達しているかを正確に知ることができるようになる。そのため、従来のように片手で差込みプラグをコンセントに抜き差ししたりその抜き差し回数を数えたり、計数器のカウントボタンを片手で押し込んだりするという煩わしい作業を行う必要がなくなって当該試験に費やされる労力が大幅に軽減され、しかも、試験結果の正確性が高まるという効果が奏される。
【発明を実施するための最良の形態】
【００１４】
図１は本発明に係る電源投入試験装置Ａと電源投入試験の対象としての電気機器Ｂを示した概略斜視図である。また、図２は電源投入試験装置Ａの概略斜視図、図３は電源投入試験装置の回路図、図４は電源投入試験方法を示したフロー図である。
【００１５】
図１には電気機器ＢとしてＤＶＤレコーダを示してあり、この電気機器Ｂには、その筐体から電源コード１００が引き出されていて、ユーザが電気機器Ｂを使用するときにはその電源コード１００の差込みプラグ１１０が商用電源としてのコンセントなどに差し込まれる。また、電気機器Ｂには電源投入スイッチ２００が装備されていて、使用時にはこの電源投入スイッチ２００によって通電モードが選択される。
【００１６】
これに対し、電源投入試験装置Ａは、図２又は図３に示したように、上記差込みプラグ１１０の相手方コネクタとして用いられる３つのソケット１１，１２，１３と、個々のソケット１１，１２，１３に個別に対応して設置されているスイッチ２１，２２，２３と、それらのソケット１１，１２，１３及びスイッチ２１，２２，２３を含む給電回路３０とを具備している。そして、３つのソケット１１，１２，１３のうち、第１番目のソケット１１は、それに個別に対応して設置されているスイッチ２１の切換えボタン２４を押し込む操作を介して通電モードと通電遮断モードとに切り換わるようになっている。他のソケット１２，１３についても同様で、第２番目のソケット１２は、それに個別に対応して設置されているスイッチ２２の切換えボタン２５を押し込む操作を介して通電モードと通電遮断モードとに切り換わり、第３番目のソケット１３は、それに個別に対応して設置されているスイッチ２３の切換えボタン２６を押し込む操作を介して通電モードと通電遮断モードとに切り換わる。
【００１７】
図３に示したように、給電回路３０では、並列接続された３つのソケット１１，１２，１３の電極と、それぞれのソケット１１，１２，１３に対して個別に直列接続された３つのスイッチ２１，２２，２３とが、電源プラグＰを備える電気コード４０に並列接続されている。
【００１８】
また、図１のように、電源投入装置Ａには、３つのスイッチ２１，２２，２３のそれぞれに個別に対応して、各スイッチ２１，２２，２３によって通電モードを選択した回数を電源機器Ｂに対する電源投入回数として計数して表示する計数表示器５１，５２，５３と、それぞれの計数表示器５１，５２，５３の計数値をリセットするためのリセットボタン６１，６２，６３とが装備されている。そして、図３のように、それぞれの計数表示器５１，５２，５３は、各スイッチ２１，２２，２３に対して個別に接続され、それぞれのリセットボタン６１，６２，６３は、計数表示器５１，５２，５３の制御部（カウンタ回路）５４，５５，５６に個別に対応して設けられている。
【００１９】
この実施形態では、図２又は図３によって判るように、ソケット１１，１２，１３、スイッチ２１，２２，２３及び計数表示器５１，５２，５３、リセットスイッチ６１，６２，６３などがすべて筐体７０に収容されていて、その筐体７０から電気コード４０が引き出されている。したがって、図例の電源投入試験装置Ａは、商用電源としてのコンセントに接続可能な中継線としてのテーブルタップに類似した形状を備えている。
【００２０】
以上の構成を備える電源投入試験装置Ａを用いる電源投入試験方法を図４などを参照して次に説明する。
【００２１】
この電源投入試験では、準備段階として、電源プラグＰが商用電源としてのコンセント（不図示）に差し込まれ、電気機器Ｂ側の差込みプラグ１００が、３つのソケット１１，１２，１３から選択された１つのソケット、たとえばソケット１１に差し込まれる。また、電気機器Ｂではその電源投入スイッチ２００によって通電モードを選択しておく。
【００２２】
この後、オペレータが、差込みプラグ１００を差し込んでいるソケット１１に対応して設置されているスイッチ２１を操作して、通電モードと通電遮断モードとを繰り返し切り換える操作を行う。この操作により、スイッチ２１によって選択されている通電遮断モード（ステップＳ１）が通電モードに切り換えられて通電モードが選択されるごとに（ステップＳ２）、図３又は図４に示した制御部（カウンタ回路）５４の作用によって（ステップＳ３）、計数表示器５１によって表示されるカウント数が１つずつ増えていく。したがって、通電モードと通電遮断モードとを繰り返し切り換える操作を行うと、スイッチ２１に対応して設置されている計数表示器５１に、スイッチ２１を通電モードに切り換えた回数（通電モード選択回数）が数字で表示される（ステップＳ４）。そこで、計数表示器５１に表示された通電モードの選択回数を電源機器Ｂに対する電源投入回数とみなして、電気機器にその表示の回数だけ電源が投入されたものとする。
【００２３】
以上の説明では、計数表示が計数表示器５１によって液晶画面にデジタル表示されるものを前提として説明したけれども、計数表示器５１は機械的に構成されていてもよく、その場合には、図４に示したカウンタ駆動機構８０の作用によって計数表示器５１（図２又は図３参照）を動作させるようにしておくとよい。
【００２４】
なお、他のソケット１２，１３を用いて電気機器の電源投入試験を行うことも可能であることは勿論である。また、電源投入試験を新たに行う場合には、リセットボタン６１，６２，６３の１つの押し込んで、その試験に使用する計数表示器の数値を初期値に戻しておくことが望ましい。
【図面の簡単な説明】
【００２５】
【図１】本発明に係る電源投入試験装置と電源投入試験の対象としての電気機器を示した概略斜視図である。
【図２】電源投入試験装置の概略斜視図である。
【図３】電源投入試験装置の回路図である。
【図４】電源投入試験方法を示したフロー図である。
【符号の説明】
【００２６】
Ａ  電源投入試験装置
Ｂ  電気機器
Ｐ  電源プラグ
１１，１２，１３  ソケット
２１，２２，２３  スイッチ
３０  給電回路
４０  電気コード
５１，５２，５３  計数表示器
７０  筐体
１００  電源コード
１１０  差込みプラグ
【図１】
2008210604.tif 000003
【図２】
2008210604.tif 000004
【図３】
2008210604.tif 000005
【図４】
2008210604.tif 000006